(57)【要約】【課題】移動局ＵＥ＃１を第１通信状態から第２通信状態に切り替える場合の音声通信を行うことができない状態を回避する。【解決手段】本発明に係る移動通信システムは、拡張ＭＳＣ/ＭＧＷが、ノードＭＭＥから「ＰＳ  ｔｏ  ＣＳ  Ｒｅｑｕｅｓｔ」を受信すると、拡張ＭＳＣ/ＭＧＷのＩＰアドレス及びデータ転送用のＴＥＩＤを割り当て、「ＰＳ  ｔｏ  ＣＳ  Ｒｅｓｐｏｎｓｅ」によって、ノードＭＭＥに対して、拡張ＭＳＣ/ＭＧＷのＩＰアドレス及びデータ転送用のＴＥＩＤを通知する工程と、ノードＭＭＥが、「Ｆｏｒｗａｒｄ  Ｒｅｌｏｃａｔｉｏｎ  Ｒｅｑｕｅｓｔ」によって、ノードＳＧＳＮに対して、拡張ＭＳＣ/ＭＧＷのＩＰアドレス及びデータ転送用のＴＥＩＤを通知する工程とを有する。【選択図】図２
2011166452.tif 000002
【特許請求の範囲】
【請求項１】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、
前記第２通信方式のコアネットワーク内の所定ノードが、前記移動伝達ネットワーク内の移動管理ノードから、前記移動局の前記第１通信状態から前記第２通信状態への切り替え指示を受信すると、該所定ノードのＩＰアドレス及びデータ転送用の第１トンネルＩＤを割り当てる工程Ａと、
前記所定ノードが、前記切り替え指示に対する応答によって、前記移動管理ノードに対して、前記所定ノードのＩＰアドレス及び前記第１トンネルＩＤを通知する工程Ｂと、
前記移動管理ノードが、パケット交換通信用リソースの再配置要求によって、前記第２通信方式のコアネットワーク内のパケット交換機に対して、前記所定ノードのＩＰアドレス及び前記第１トンネルＩＤを通知する工程Ｃと、
前記パケット交換機が、データ転送用トンネル設定要求によって、前記移動伝達ネットワーク内のサービングゲートウェイ装置に対して、前記所定ノードのＩＰアドレス及び前記第１トンネルＩＤを通知する工程Ｄと、
前記移動管理用ノードが、前記第１通信方式の無線アクセスシステムに対して、前記移動局の該第１通信方式の無線アクセスシステムから前記第２通信方式の無線アクセスシステムへの切り替えを指示した後、前記サービングゲートウェイ装置が、前記所定ノードのＩＰアドレス及び前記第１トンネルＩＤを用いて、該所定ノードに対して、該第１通信方式の無線アクセスシステムから受信した下り方向のＶｏＩＰメディア信号を転送する工程Ｅとを有することを特徴とする移動通信方法。
【請求項２】
前記工程Ａにおいて、前記所定ノードは、更にＶｏＩＰメディア信号用の第２トンネルＩＤを割り当て、
前記工程Ｂにおいて、前記所定ノードは、前記切り替え指示に対する応答によって、前記移動管理ノードに対して、更に前記第２トンネルＩＤを通知し、
前記工程Ｃにおいて、前記移動管理ノードは、前記パケット交換通信用リソースの再配置要求によって、前記パケット交換機に対して、更に前記第２トンネルＩＤを通知し、
前記移動局の前記第１通信状態から前記第２通信状態への切り替えが完了した後、前記サービングゲートウェイ装置が、前記所定ノードのＩＰアドレス及び前記第２トンネルＩＤを用いて、該所定ノードに対して、上位ノードから受信した下り方向のＶｏＩＰメディア信号を送信する工程Ｆと、
前記所定ノードが、前記下り方向のＶｏＩＰメディア信号を、下り方向の回線交換通信用信号に変換して、前記第２通信方式のコアネットワーク内の回線交換機に対して送信する工程Ｇとを有することを特徴とする請求項１に記載の移動通信方法。
【請求項３】
サービス制御ネットワーク内のＳＩＰノードが、セッション転送開始要求を受信した場合に、前記所定ノードに対して、該セッション転送開始要求に対する応答によって、前記下り方向のＶｏＩＰメディア信号で用いられていたコーデック情報を通知する工程を更に有し、
前記工程Ｆにおいて、前記所定ノードは、受信した前記コーデック情報を用いて、前記下り方向のＶｏＩＰメディア信号を、前記下り方向の回線交換通信用信号に変換することを特徴とする請求項１に記載の移動通信方法。
【請求項４】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、該第２通信方式のコアネットワーク内に配置されているノードであって、
移動局を、該第１通信方式の無線アクセスシステムを介して音声通信を行う第１通信状態から、該第２通信方式の無線アクセスシステムを介して音声通信を行う第２通信状態に切り替える場合に、
前記移動伝達ネットワーク内の移動管理ノードから、前記移動局の前記第１通信状態から前記第２通信状態への切り替え指示を受信すると、前記ノードのＩＰアドレスとデータ転送用の第１トンネルＩＤとＶｏＩＰメディア信号用の第２トンネルＩＤとを割り当てるように構成されている割当部と、
前記切り替え指示に対する応答によって、前記移動管理ノードに対して、前記所定ノードのＩＰアドレスと前記第１トンネルＩＤと前記第２トンネルＩＤとを通知するように構成されている通知部と、
前記移動伝達ネットワーク内のサービングゲートウェイ装置から受信した下り方向のＶｏＩＰメディア信号を、下り方向の回線交換通信用信号に変換して、前記第２通信方式のコアネットワーク内の回線交換機に対して送信するように構成されている変換部とを具備することを特徴とするノード。
【請求項５】
サービス制御ネットワーク内のＳＩＰノードから、セッション転送開始要求に対する応答によって、前記下り方向のＶｏＩＰメディア信号で用いられていたコーデック情報を取得するように構成されている取得部を更に具備し、
前記変換部は、受信した前記コーデック情報を用いて、前記下り方向のＶｏＩＰメディア信号を、前記下り方向の回線交換通信用信号に変換するように構成されていることを特徴とする請求項４に記載のノード。
【請求項６】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、
前記移動伝達ネットワーク内のサービングゲートウェイ装置と前記第２通信方式のコアネットワーク内の所定ノードとの間で第１トンネルを設定する工程と、
前記サービングゲートウェイ装置と前記第２通信方式のコアネットワーク内のパケット交換機との間で第２トンネルを設定する工程と、
前記移動伝達ネットワーク内の移動管理用ノードが、前記第１通信方式の無線アクセスシステムに対して、前記移動局の該第１通信方式の無線アクセスシステムから前記第２通信方式の無線アクセスシステムへの切り替えを指示した後、前記サービングゲートウェイ装置が、前記第１トンネルを介して、前記所定ノードに対して、該第１通信方式の無線アクセスシステムから受信した下り方向のＶｏＩＰメディア信号を転送する工程と、
前記移動管理用ノードが、前記第１通信方式の無線アクセスシステムに対して、前記移動局の該第１通信方式の無線アクセスシステムから前記第２通信方式の無線アクセスシステムへの切り替えを指示した後、前記サービングゲートウェイ装置が、前記第２トンネルを介して、前記パケット交換機に対して、該第１通信方式の無線アクセスシステムから受信した前記下り方向のＶｏＩＰメディア信号以外のパケット信号を転送する工程とを有することを特徴とする移動通信方法。
【請求項７】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、該移動伝達ネットワーク内に配置されるサービングゲートウェイ装置であって、
移動局を、該第１通信方式の無線アクセスシステムを介して音声通信を行う第１通信状態から、該第２通信方式の無線アクセスシステムを介して音声通信を行う第２通信状態に切り替える場合に、
前記第２通信方式のコアネットワーク内の所定ノードとの間で第１トンネルを設定するように構成されており、前記第２通信方式のコアネットワーク内のパケット交換機との間で第２トンネルを設定するように構成されている設定部と、
前記移動伝達ネットワーク内の移動管理用ノードが、前記第１通信方式の無線アクセスシステムに対して、前記移動局の該第１通信方式の無線アクセスシステムから前記第２通信方式の無線アクセスシステムへの切り替えを指示した後、前記第１トンネルを介して、前記所定ノードに対して、該第１通信方式の無線アクセスシステムから受信した下り方向のＶｏＩＰメディア信号を転送するように構成されており、前記第２トンネルを介して、前記パケット交換機に対して、該第１通信方式の無線アクセスシステムから受信した該下り方向のＶｏＩＰメディア信号以外のパケット信号を転送するように構成されている転送部とを具備することを特徴とするサービングゲートウェイ装置。
【請求項８】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、
前記移動伝達ネットワーク内のサービングゲートウェイ装置と前記第２通信方式のコアネットワーク内の所定ノードとの間で第３トンネルを設定する工程と、
前記サービングゲートウェイ装置と前記第２通信方式のコアネットワーク内のパケット交換機との間で第４トンネルを設定する工程と、
前記移動局の前記第１通信状態から前記第２通信状態への切り替えが完了した後、前記サービングゲートウェイ装置が、前記第３トンネルを介して、前記所定ノードに対して、上位ノードから受信した下り方向のＶｏＩＰメディア信号を転送する工程と、
前記移動局の前記第１通信状態から前記第２通信状態への切り替えが完了した後、前記サービングゲートウェイ装置が、前記第４トンネルを介して、前記パケット交換機に対して、前記上位ノードから受信した下り方向のＶｏＩＰメディア信号以外のパケット信号を転送する工程とを有することを特徴とする移動通信方法。
【請求項９】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、該移動伝達ネットワーク内に配置されるサービングゲートウェイ装置であって、
移動局を、該第１通信方式の無線アクセスシステムを介して音声通信を行う第１通信状態から、該第２通信方式の無線アクセスシステムを介して音声通信を行う第２通信状態に切り替える場合に、
前記第２通信方式のコアネットワーク内の所定ノードとの間で第３トンネルを設定するように構成されており、前記第２通信方式のコアネットワーク内のパケット交換機との間で第４トンネルを設定するように構成されている設定部と、
前記移動局の前記第１通信状態から前記第２通信状態への切り替えが完了した後、前記第３トンネルを介して、前記所定ノードに対して、上位ノードから受信した下り方向のＶｏＩＰメディア信号を転送するように構成されており、前記第４トンネルを介して、前記パケット交換機に対して、該上位ノードから受信した該下り方向のＶｏＩＰメディア信号以外のパケット信号を転送するように構成されている転送部とを具備することを特徴とするサービングゲートウェイ装置。
【発明の詳細な説明】
【技術分野】
【０００１】
本発明は、移動通信方法、ノード及びサービングゲートウェイ装置に関する。
【背景技術】
【０００２】
従来、２Ｇ/３Ｇ方式の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
３ＧＰＰのＴＳ２３.２１６では、かかる移動通信システムにおいて、移動局ＵＥ＃１を、移動局ＵＥ＃２との間でＥ-ＵＴＲＡＮを介して音声通信（ＶｏＩＰ（Ｖｏｉｃｅ  ｏｖｅｒ  ＩＰ）通信）を行う状態（第１通信状態）から、移動局ＵＥ＃２との間でＵＴＲＡＮを介して音声通信（回線交換通信）を行う状態（第２通信状態）に切り替える動作、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」について規定されている。
【先行技術文献】
【非特許文献】
【０００４】
【非特許文献１】３ＧＰＰ  ＴＳ２３.２１６
【発明の概要】
【発明が解決しようとする課題】
【０００５】
しかしながら、上述の「ＳＲＶＣＣ」では、拡張ＭＳＣ/ＭＧＷ（Ｅｎｈａｎｃｅｄ  ＭＳＣ  Ｓｅｒｖｅｒ  Ｍｅｄｉａ  Ｇａｔｅｗａｙ  ｆｏｒ  ＳＲＶＣＣ）が、移動局ＵＥ＃２に対して経路の切り替えを指示するのと並行して、移動局ＵＥ＃１に対して経路（接続する無線）の切り替えを指示するように構成されており、両方の経路の切り替えが完了するまでの間、移動局ＵＥ＃１と移動局ＵＥ＃２との間で音声通信を行うことができないという問題点があった。
【０００６】
そこで、本発明は、上述の課題に鑑みてなされたものであり、移動局ＵＥ＃１を第１通信状態から第２通信状態に切り替える場合の音声通信を行うことができない状態を回避することができる移動通信方法、ノード及びサービングゲートウェイ装置を提供することを目的とする。
【課題を解決するための手段】
【０００７】
本発明の第１の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、前記第２通信方式のコアネットワーク内の所定ノードが、前記移動伝達ネットワーク内の移動管理ノードから、前記移動局の前記第１通信状態から前記第２通信状態への切り替え指示を受信すると、該所定ノードのＩＰアドレス及びデータ転送用の第１トンネルＩＤを割り当てる工程Ａと、前記所定ノードが、前記切り替え指示に対する応答によって、前記移動管理ノードに対して、前記所定ノードのＩＰアドレス及び前記第１トンネルＩＤを通知する工程Ｂと、前記移動管理ノードが、パケット交換通信用リソースの再配置要求によって、前記第２通信方式のコアネットワーク内のパケット交換機に対して、前記所定ノードのＩＰアドレス及び前記第１トンネルＩＤを通知する工程Ｃと、前記パケット交換機が、データ転送用トンネル設定要求によって、前記移動伝達ネットワーク内のサービングゲートウェイ装置に対して、前記所定ノードのＩＰアドレス及び前記第１トンネルＩＤを通知する工程Ｄと、前記移動管理用ノードが、前記第１通信方式の無線アクセスシステムに対して、前記移動局の該第１通信方式の無線アクセスシステムから前記第２通信方式の無線アクセスシステムへの切り替えを指示した後、前記サービングゲートウェイ装置が、前記所定ノードのＩＰアドレス及び前記第２トンネルＩＤを用いて、該所定ノードに対して、該第１通信方式の無線アクセスシステムから受信した下り方向のＶｏＩＰメディア信号を転送する工程Ｅとを有することを要旨とする。
【０００８】
本発明の第２の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、該第２通信方式のコアネットワーク内に配置されているノードであって、移動局を、該第１通信方式の無線アクセスシステムを介して音声通信を行う第１通信状態から、該第２通信方式の無線アクセスシステムを介して音声通信を行う第２通信状態に切り替える場合に、前記移動伝達ネットワーク内の移動管理ノードから、前記移動局の前記第１通信状態から前記第２通信状態への切り替え指示を受信すると、前記ノードのＩＰアドレスとデータ転送用の第２トンネルＩＤとＶｏＩＰメディア信号用の第１トンネルＩＤとを割り当てるように構成されている割当部と、前記切り替え指示に対する応答によって、前記移動管理ノードに対して、前記所定ノードのＩＰアドレスと前記第１トンネルＩＤと前記第２トンネルＩＤとを通知するように構成されている通知部と、前記移動伝達ネットワーク内のサービングゲートウェイ装置から受信した下り方向のＶｏＩＰメディア信号を、下り方向の回線交換通信用信号に変換して、前記第２通信方式のコアネットワーク内の回線交換機に対して送信するように構成されている変換部とを具備することを要旨とする。
【０００９】
本発明の第３の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、前記移動伝達ネットワーク内のサービングゲートウェイ装置と前記第２通信方式のコアネットワーク内の所定ノードとの間で第１トンネルを設定する工程と、前記サービングゲートウェイ装置と前記第２通信方式のコアネットワーク内のパケット交換機との間で第２トンネルを設定する工程と、前記移動伝達ネットワーク内の移動管理用ノードが、前記第１通信方式の無線アクセスシステムに対して、前記移動局の該第１通信方式の無線アクセスシステムから前記第２通信方式の無線アクセスシステムへの切り替えを指示した後、前記サービングゲートウェイ装置が、前記第１トンネルを介して、前記所定ノードに対して、該第１通信方式の無線アクセスシステムから受信した下り方向のＶｏＩＰメディア信号を転送する工程と、前記移動管理用ノードが、前記第１通信方式の無線アクセスシステムに対して、前記移動局の該第１通信方式の無線アクセスシステムから前記第２通信方式の無線アクセスシステムへの切り替えを指示した後、前記サービングゲートウェイ装置が、前記第２トンネルを介して、前記パケット交換機に対して、該第１通信方式の無線アクセスシステムから受信した前記下り方向のＶｏＩＰメディア信号以外のパケット信号を転送する工程とを有することを要旨とする。
【００１０】
本発明の第４の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、該移動伝達ネットワーク内に配置されるサービングゲートウェイ装置であって、移動局を、該第１通信方式の無線アクセスシステムを介して音声通信を行う第１通信状態から、該第２通信方式の無線アクセスシステムを介して音声通信を行う第２通信状態に切り替える場合に、前記第２通信方式のコアネットワーク内の所定ノードとの間で第１トンネルを設定するように構成されており、前記第２通信方式のコアネットワーク内のパケット交換機との間で第２トンネルを設定するように構成されている設定部と、前記移動伝達ネットワーク内の移動管理用ノードが、前記第１通信方式の無線アクセスシステムに対して、前記移動局の該第１通信方式の無線アクセスシステムから前記第２通信方式の無線アクセスシステムへの切り替えを指示した後、前記第１トンネルを介して、前記所定ノードに対して、該第１通信方式の無線アクセスシステムから受信した下り方向のＶｏＩＰメディア信号を転送するように構成されており、前記第２トンネルを介して、前記パケット交換機に対して、該第１通信方式の無線アクセスシステムから受信した該下り方向のＶｏＩＰメディア信号以外のパケット信号を転送するように構成されている転送部とを具備することを要旨とする。
【００１１】
本発明の第５の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、前記移動伝達ネットワーク内のサービングゲートウェイ装置と前記第２通信方式のコアネットワーク内の所定ノードとの間で第３トンネルを設定する工程と、前記サービングゲートウェイ装置と前記第２通信方式のコアネットワーク内のパケット交換機との間で第４トンネルを設定する工程と、前記移動局の前記第１通信状態から前記第２通信状態への切り替えが完了した後、前記サービングゲートウェイ装置が、前記第３トンネルを介して、前記所定ノードに対して、上位ノードから受信した下り方向のＶｏＩＰメディア信号を転送する工程と、前記移動局の前記第１通信状態から前記第２通信状態への切り替えが完了した後、前記サービングゲートウェイ装置が、前記第４トンネルを介して、前記パケット交換機に対して、前記上位ノードから受信した下り方向のＶｏＩＰメディア信号以外のパケット信号を転送する工程とを有することを要旨とする。
【００１２】
本発明の第６の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備する移動通信システムにおいて、該移動伝達ネットワーク内に配置されるサービングゲートウェイ装置であって、移動局を、該第１通信方式の無線アクセスシステムを介して音声通信を行う第１通信状態から、該第２通信方式の無線アクセスシステムを介して音声通信を行う第２通信状態に切り替える場合に、前記第２通信方式のコアネットワーク内の所定ノードとの間で第３トンネルを設定するように構成されており、前記第２通信方式のコアネットワーク内のパケット交換機との間で第４トンネルを設定するように構成されている設定部と、前記移動局の前記第１通信状態から前記第２通信状態への切り替えが完了した後、前記第３トンネルを介して、前記所定ノードに対して、上位ノードから受信した下り方向のＶｏＩＰメディア信号を転送するように構成されており、前記第４トンネルを介して、前記パケット交換機に対して、該上位ノードから受信した該下り方向のＶｏＩＰメディア信号以外のパケット信号を転送するように構成されている転送部とを具備することを要旨とする。
【発明の効果】
【００１３】
以上説明したように、本発明によれば、移動局ＵＥ＃１を第１通信状態から第２通信状態に切り替える場合の音声通信を行うことができない状態を回避することができる移動通信方法、ノード及びサービングゲートウェイ装置を提供することができる。
【図面の簡単な説明】
【００１４】
【図１】本発明の第１の実施形態に係る移動通信システムの全体構成図である。
【図２】本発明の第１の実施形態に係る移動通信システムにおいて移動局の第１通信状態から第２通信状態の切り替えについて説明するための図である。
【図３】本発明の第１の実施形態に係る拡張ＭＳＣ/ＭＧＷの機能ブロック図である。
【図４】本発明の第１の実施形態に係る移動通信システムの動作を示すシーケンス図である。
【図５】本発明の第１の実施形態に係る移動通信システムの動作を示すシーケンス図である。
【発明を実施するための形態】
【００１５】
（本発明の第１の実施形態に係る移動通信システム）
図１乃至図５を参照して、本発明の第１の実施形態に係る移動通信システムについて説明する。
【００１６】
図１に示すように、本実施形態に係る移動通信システムは、Ｅ-ＵＴＲＡＮと、ＵＴＲＡＮと、移動伝達ネットワークと、２Ｇ/３Ｇ方式のコアネットワークと、ＩＭＳ（ＩＰ  Ｍｕｌｔｉｍｅｄｉａ  Ｓｕｂｓｙｓｔｅｍ、サービス制御ネットワーク）と、パケット交換ネットワークとを具備している。
【００１７】
Ｅ-ＵＴＲＡＮには、無線基地局ｅＮｏｄｅＢ（不図示）が配置されており、ＵＴＲＡＮには、無線基地局ＮｏｄｅＢ（ＢＳＳ）（不図示）及び無線回線制御局ＲＮＣ（不図示）が配置されている。
【００１８】
移動伝達ネットワークには、ノードＭＭＥ（Ｍｏｂｉｌｉｔｙ  Ｍａｎａｇｅｍｅｎｔ  Ｅｎｔｉｔｙ、移動管理ノード）と、ノードＳ-ＧＷ（Ｓｅｒｖｉｎｇ-Ｇａｔｅｗａｙ、サービングゲートウェイ装置）＃１と、ノードＳ-ＧＷ＃２と、ノードＰ-ＧＷ（ＰＤＮ-Ｇａｔｅｗａｙ）と、ノードＨＳＳ（Ｈｏｍｅ  Ｓｕｂｓｃｒｉｂｅｒ  Ｓｅｒｖｅｒ）/ＨＬＲ（Ｈｏｍｅ  Ｌｏｃａｔｉｏｎ  Ｒｅｇｉｓｔｅｒ）とが配置されている。
【００１９】
ここで、ノードＭＭＥやノードＳ-ＧＷ＃１やノードＳ-ＧＷ＃２は、移動局ＵＥ＃１の在圏ネットワークに配置されており、ノードＰ-ＧＷ及びノードＨＳＳ/ＨＬＲは、移動局ＵＥ＃１のホームネットワークに配置されている。
【００２０】
なお、本実施形態では、ノードＳ-ＧＷ＃１は、ノードＭＭＥに接続されており、ノードＳ-ＧＷ＃２は、ノードＳＧＳＮ（Ｓｅｒｖｉｎｇ  ＧＰＲＳ  Ｓｕｐｐｏｒｔ  Ｎｏｄｅ、パケット交換機）に接続されており、ノードＳ-ＧＷ＃１及びノードＳ-ＧＷ＃２が、別々の装置であるケースについて記載されているが、ノードＳ-ＧＷ＃１及びノードＳ-ＧＷ＃２は、同じ装置であってもよい。
【００２１】
２Ｇ/３Ｇ方式のコアネットワークには、ノードＭＳＣ（Ｍｏｂｉｌｅ-ｓｅｒｖｉｃｅ  Ｓｗｉｔｃｈｉｎｇ  Ｃｅｎｔｅｒ、回線交換機）やノードＳＧＳＮや拡張ＭＳＣ/ＭＧＷ（所定ノード）が配置されている。ここで、ノードＭＳＣ、ノードＳＧＳＮ及び拡張ＭＳＣ/ＭＧＷは、移動局ＵＥ＃１の在圏ネットワークに配置されている。
【００２２】
なお、拡張ＭＳＣ/ＭＧＷ（所定ノード）は、制御信号を処理するノードＭＳＣサーバと、ＶｏＩＰメディア信号と回線交換用信号との変換等を実施するノードＭＧＷとに分離されていてもよい。
【００２３】
ＩＭＳには、ノードＰ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）と、ノードＳ-ＣＳＣＦ（Ｓｅｒｖｉｎｇ-Ｃａｌｌ  Ｓｅｓｓｉｏｎ  Ｃｏｎｔｒｏｌ  Ｆｕｎｃｔｉｏｎ）と、ノードＳ/Ｐ-ＣＳＣＦと、ノードＳＣＣ  ＡＳ（ＳＩＰ（Ｓｅｓｓｉｏｎ  Ｉｎｉｔｉａｔｉｏｎ  Ｐｒｏｔｏｃｏｌ）ノード、Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）とが配置されている。
【００２４】
図２に示すように、本実施形態に係る移動通信システムは、移動局ＵＥ＃１を、移動局ＵＥ＃２との間でＥ-ＵＴＲＡＮを介して音声通信（ＶｏＩＰ通信）を行う状態（第１通信状態）と、移動局ＵＥ＃２との間でＵＴＲＡＮを介して音声通信（回線交換通信）を行う状態（第２通信状態）との間で切り替えることができる、すなわち、ＳＲＶＣＣを実現できるように構成されている。
【００２５】
第１通信状態では、移動局ＵＥ＃１は、Ｅ-ＵＴＲＡＮに在圏しており、移動局ＵＥ＃２との間で音声通信を行うように構成されており、第２通信状態では、移動局ＵＥ＃１は、ＵＴＲＡＮに在圏しており、移動局ＵＥ＃２との間で音声通信を行うように構成されている。
【００２６】
また、第１通信状態では、移動局ＵＥ＃１と移動局ＵＥ＃２との間で、ＶｏＩＰメディア信号が、Ｅ-ＵＴＲＡＮとノードＳ-ＧＷ＃１とノードＰ-ＧＷとを介して送受信され、ＶｏＩＰ制御信号が、Ｅ-ＵＴＲＡＮとノードＳ-ＧＷ＃１とノードＰ-ＧＷとＩＭＳとを介して送受信されるように構成されている。
【００２７】
また、第２通信状態では、２Ｇ/３Ｇ方式の回線交換用信号が、ＵＴＲＡＮを介して移動局ＵＥ＃１と拡張ＭＳＣ/ＭＧＷとの間で送受信され、ＶｏＩＰメディア信号が、ノードＳ-ＧＷ＃２とノードＰ-ＧＷとを介して拡張ＭＳＣ/ＭＧＷと移動局ＵＥ＃２との間で送受信され、ＶｏＩＰ制御信号が、拡張ＭＳＣ/ＭＧＷとＩＭＳとの間で送受信されるように構成されている。
【００２８】
なお、ＶｏＩＰメディア信号及びＶｏＩＰ制御信号からなるＶｏＩＰ信号以外のパケット信号は、第１通信状態では、移動局ＵＥ＃１とパケット交換ネットワークとの間で、Ｅ-ＵＴＲＡＮとノードＳ-ＧＷ＃１とノードＰ-ＧＷとを介して送受信されるように構成されており、第２通信状態では、移動局ＵＥ＃１とパケット交換ネットワークとの間で、ＵＴＲＡＮとノードＳＧＳＮとノードＳ-ＧＷ＃２とノードＰ-ＧＷとを介して送受信されるように構成されている。
【００２９】
図３に示すように、拡張ＭＳＣ/ＭＧＷは、受信部１１と、送信部１２と、割当部１３と、変換部１４とを具備している。
【００３０】
受信部１１は、ノードＭＭＥや回線交換機ＭＳＣやＩＭＳ（例えば、ノードＳＣＣ  ＡＳ）等から、各種メッセージを受信するように構成されている。また、受信部１１は、ノードＳ-ＧＷ＃２から、下り方向のＶｏＩＰメディア信号を受信するように構成されている。また、受信部１１は、ＩＭＳから、下り方向のＶｏＩＰ制御信号を受信するように構成されている。さらに、受信部１１は、回線交換機ＭＳＣから、上り方向の回線交換用信号を受信するように構成されている。
【００３１】
送信部１２は、ノードＭＭＥや回線交換機ＭＳＣやＩＭＳ（例えば、ノードＳＣＣ  ＡＳ）に対して、各種メッセージを送信するように構成されている。また、送信部１２は、ノードＳ-ＧＷ＃２に対して、上り方向のＶｏＩＰメディア信号を送信するように構成されている。また、送信部１２は、ＩＭＳに対して、上り方向のＶｏＩＰ制御信号を受信するように構成されている。
【００３２】
割当部１３は、移動局ＵＥを第１通信状態から第２通信状態に切り替える場合に、ノードＭＭＥから「ＰＳ  ｔｏ  ＣＳ  Ｒｅｑｕｅｓｔ」を受信すると、拡張ＭＳＣ/ＭＧＷのＩＰアドレスとデータ転送用のＴＥＩＤとハンドオーバ後のＶｏＩＰメディア信号用のＴＥＩＤとを割り当てるように構成されている。
【００３３】
ここで、送信部１２は、「ＰＳ  ｔｏ  ＣＳ  Ｒｅｓｐｏｎｓｅ」によって、ノードＭＭＥに対して、かかる拡張ＭＳＣ/ＭＧＷのＩＰアドレスとデータ転送用のＴＥＩＤとハンドオーバ後のＶｏＩＰメディア信号用のＴＥＩＤとを通知するように構成されている。
【００３４】
変換部１４は、ノードＳ-ＧＷ＃２から受信した下り方向のＶｏＩＰメディア信号を、下り方向の回線交換通信用信号に変換して、送信部１２を介して、ノードＭＳＣに対して送信するように構成されている。
【００３５】
なお、受信部１１が、ノードＳＣＣ  ＡＳから、「Ａｃｋ  ｏｆ  Ｓｅｓｓｉｏｎ  Ｔｒａｎｓｆｅｒ」によって、ＶｏＩＰメディア信号で用いられていたコーデック情報を取得した場合、変換部１４は、受信したコーデック情報を用いて、ＶｏＩＰメディア信号を、下り方向の回線交換通信用信号に変換するように構成されていてもよい。
【００３６】
なお、かかるコーデック情報は、下り方向のＶｏＩＰメディア信号で用いられていたコーデック情報及び上り方向のＶｏＩＰメディア信号で用いられていたコーデック情報は、同じコーデック情報であってもよいし、異なるコーデック情報であってもよい。
【００３７】
以下、図４及び図５を参照して、本実施形態に係る移動通信システムにおいて、移動局ＵＥ＃１を第１通信状態から第２通信状態に切り替える動作について説明する。
【００３８】
図４に示すように、ステップＳ１００１において、第１通信状態の移動局ＵＥ＃１は、Ｅ-ＵＴＲＡＮに対して、指定された周辺セルの測定結果を含む「Ｍｅａｓｕｒｅｍｅｎｔ  Ｒｅｐｏｒｔ」を送信する。
【００３９】
Ｅ-ＵＴＲＡＮは、ステップＳ１００２において、移動局ＵＥ＃１のＥ-ＵＴＲＡＮ配下のセルからＵＴＲＡＮ配下のセルへのハンドオーバを行う事を決定すると、ステップＳ１００３において、ノードＭＭＥに対して、「Ｈａｎｄｏｖｅｒ  Ｒｅｑｕｉｒｅｄ（ハンドオーバ要求）」を送信する。
【００４０】
ノードＭＭＥは、ステップＳ１００４において、「Ｂｅａｒｅｒ  Ｓｐｌｉｔｔｉｎｇ処理」を行い、ステップＳ１００５において、拡張ＭＳＣ/ＭＧＷに対して、「ＰＳ  ｔｏ  ＣＳ  Ｒｅｑｕｅｓｔ（移動局ＵＥの第１通信状態から第２通信状態への切り替え指示）」を送信する。
【００４１】
ステップＳ１００６において、拡張ＭＳＣ/ＭＧＷは、受信した「ＰＳ  ｔｏ  ＣＳ  Ｒｅｑｕｅｓｔ」に応じて、拡張ＭＳＣ/ＭＧＷのＩＰアドレスとデータ転送用のＴＥＩＤ（Ｔｕｎｎｅｌ  Ｅｎｄｐｏｉｎｔ  Ｉｄｅｎｔｉｆｉｅｒ）とハンドオーバ後のＶｏＩＰメディア信号用のＴＥＩＤとを割り当てる。
【００４２】
ステップＳ１００７において、拡張ＭＳＣ/ＭＧＷは、回線交換機ＭＳＣに対して、「Ｐｒｅｐａｒａｔｉｏｎ  ＨＯ  Ｒｅｑｕｅｓｔ」を送信し、ステップＳ１００８において、回線交換機ＭＳＣは、ＵＴＲＡＮに対して、「Ｒｅｌｏｃａｔｉｏｎ  ＨＯ  Ｒｅｑｕｅｓｔ」を送信する。
【００４３】
ステップＳ１００９において、拡張ＭＳＣ/ＭＧＷは、ノードＭＭＥに対して、拡張ＭＳＣ/ＭＧＷのＩＰアドレスとデータ転送用のＴＥＩＤとハンドオーバ後のＶｏＩＰメディア信号用のＴＥＩＤとを含む「ＰＳ  ｔｏ  ＣＳ  Ｒｅｓｐｏｎｓｅ」を送信する。
【００４４】
ステップＳ１０１０において、ノードＭＭＥは、ノードＳＧＳＮに対して、拡張ＭＳＣ/ＭＧＷのＩＰアドレスとデータ転送用のＴＥＩＤとハンドオーバ後のＶｏＩＰメディア信号用のＴＥＩＤとを含む「Ｆｏｒｗａｒｄ  Ｒｅｌｏｃａｔｉｏｎ  Ｒｅｑｕｅｓｔ（パケット交換通信用リソースの再配置要求）」を送信する。
【００４５】
ステップＳ１０１１において、ノードＳＧＳＮは、ノードＳ-ＧＷ＃２に対して、「Ｃｒｅａｔｅ  Ｓｅｓｓｉｏｎ  Ｒｅｑｕｅｓｔ（セッション生成要求）」を送信する。ここで、ノードＳＧＳＮは、ノードＳ-ＧＷ＃２に対して、「Ｃｒｅａｔｅ  Ｓｅｓｓｉｏｎ  Ｒｅｑｕｅｓｔ」によって、拡張ＭＳＣ/ＭＧＷのＩＰアドレスとハンドオーバ後のＶｏＩＰメディア信号用のＴＥＩＤとを併せて通知してもよい。
【００４６】
ステップＳ１０１２において、ノードＳ-ＧＷ＃２は、ノードＳＧＳＮに対して、「Ｃｒｅａｔｅ  Ｓｅｓｓｉｏｎ  Ｒｅｓｐｏｎｓｅ（セッション生成応答）」を送信する。
【００４７】
ステップＳ１０１３において、ノードＳＧＳＮは、ＵＴＲＡＮに対して、「Ｒｅｌｏｃａｔｉｏｎ/ＨＯ  Ｒｅｑｕｅｓｔ」を送信し、ステップＳ１０１４Ａにおいて、ＵＴＲＡＮは、ノードＳＧＳＮに対して、「Ｒｅｌｏｃａｔｉｏｎ/ＨＯ  Ｒｅｑｕｅｓｔ  Ａｃｋ」を送信する。
【００４８】
ステップＳ１０１４Ｂにおいて、ノードＳＧＳＮは、ノードＳ-ＧＷ＃２に対して、拡張ＭＳＣ/ＭＧＷのＩＰアドレスとデータ転送用のＴＥＩＤとを含む「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ（データ転送用トンネル設定要求）」を送信する。
【００４９】
ノードＳ-ＧＷ＃２は、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を受信すると、ノードＳ-ＧＷ＃２から拡張ＭＳＣ/ＭＧＷに対するデータ転送用トンネルを設定する。
【００５０】
ステップＳ１０１４Ｃにおいて、ノードＳ-ＧＷ＃２は、ノードＳＧＳＮに対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ（データ転送用トンネル設定応答）」を送信する。
【００５１】
ステップＳ１０１５において、ノードＳＧＳＮは、ノードＭＭＥに対して、「Ｆｏｒｗａｒｄ  Ｒｅｌｏｃａｔｉｏｎ  Ｒｅｓｐｏｎｓｅ（パケット交換通信用リソースの再配置応答）」を送信する。
【００５２】
なお、ノードＭＭＥは、ステップＳ１０１５の後に、ノードＳ-ＧＷ＃１に対して、ノードＳ-ＧＷ＃２のＩＰアドレスとデータ転送用のＴＥＩＤとを含む「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ（データ転送用トンネル設定要求）」を送信する（不図示）。
【００５３】
ノードＳ-ＧＷ＃１は、受信した「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」に応じて、ノードＳ-ＧＷ＃２との間で、データ転送用トンネルを設定し、ノードＭＭＥに対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ（データ転送用トンネル設定応答）」を送信する（不図示）。
【００５４】
ステップＳ１０１６において、ＵＴＲＡＮは、回線交換機ＭＳＣに対して、「Ｒｅｌｏｃａｔｉｏｎ  ＨＯ  Ｒｅｑｕｅｓｔ  Ａｃｋ」を送信し、ステップＳ１０１７において、回線交換機ＭＳＣは、拡張ＭＳＣ/ＭＧＷに対して、「Ｐｒｅｐａｒａｔｉｏｎ  ＨＯ  Ｒｅｓｐｏｎｓｅ」を送信する。この結果、ステップＳ１０１８において、回線交換機ＭＳＣと拡張ＭＳＣ/ＭＧＷとの間で回線が設定される。
【００５５】
なお、ステップＳ１００８及びＳ１０１６は、回線交換通信用リソースを確保するための処理であり、ステップＳ１０１３及びＳ１０１４は、パケット交換通信用リソースを確保するための処理である。
【００５６】
図５に示すように、ステップＳ１０１９において、拡張ＭＳＣ/ＭＧＷは、ＩＭＳ内のノードＳＣＣ  ＡＳに対して、本発明の処理を適用することを示す情報要素と共に、「Ｉｎｉｔｉａｔｉｏｎ  ｏｆ  Ｓｅｓｓｉｏｎ  Ｔｒａｎｓｆｅｒ（セッション転送開始要求）」を送信する。
【００５７】
ステップＳ１０２０において、ノードＳＣＣ  ＡＳは、第１通信状態においてＶｏＩＰメディア信号で用いられていたコーデック情報を管理している場合、拡張ＭＳＣ/ＭＧＷに対して、かかるコーデック情報を含む「Ａｃｋ  ｏｆ  Ｓｅｓｓｉｏｎ  Ｔｒａｎｓｆｅｒ（セッション転送開始応答）」を送信する。
【００５８】
ここで、ノードＳＣＣ  ＡＳは、移動局ＵＥ＃２に対して経路の切り替えを指示しないように構成されている（ステップＳ１０２１）。
【００５９】
拡張ＭＳＣ/ＭＧＷは、ステップＳ１０２２において、「Ａｃｋ  ｏｆ  Ｓｅｓｓｉｏｎ  Ｔｒａｎｓｆｅｒ」に含まれているコーデック情報を設定し、ステップＳ１０２３において、ノードＭＭＥに対して、「ＰＳ  ｔｏ  ＣＳ  Ｃｏｍｐｌｅｔｅ」を送信する。
【００６０】
このとき、拡張ＭＳＣ／ＭＧＷは、ノードＳＣＣ  ＡＳより通知されたコーデック情報に対応するコーデックをサポートすることができない場合、本発明の処理を適用することを示す情報要素を付与しない「Ｉｎｉｔｉａｔｉｏｎ  ｏｆ  Ｓｅｓｓｉｏｎ  Ｔｒａｎｓｆｅｒ（セッション転送開始要求）」を、ノードＳＣＣ  ＡＳへ通知する。
【００６１】
これにより、拡張ＭＳＣ／ＭＧＷは、コーデックをサポートできない場合（すなわち、移動局ＵＥ＃２に対して経路の切り替えを指示する必要があると判断した場合）、ＩＭＳを介して移動局ＵＥ＃２に対して、経路の切り替えを指示することで、コーデック変換失敗による音声通信の切り替え失敗となる事象を回避することが可能となる。
【００６２】
ステップＳ１０２４において、ノードＭＭＥは、Ｅ-ＵＴＲＡＮに対して、「Ｈａｎｄｏｖｅｒ  Ｃｏｍｍａｎｄ」を送信し、ステップＳ１０２５において、Ｅ-ＵＴＲＡＮは、移動局ＵＥ＃１に対して、「ＨＯ  ｆｒｏｍ  Ｅ-ＵＴＲＡＮ  Ｃｏｍｍａｎｄ」を送信する。
【００６３】
なお、ステップＳ１０２４の後、Ｅ-ＵＴＲＡＮは、動局ＵＥ＃１宛の全てのパケット信号をノードＳ-ＧＷ＃１に転送する。
【００６４】
ステップＳ１０２６において、移動局ＵＥ＃１は、移動局ＵＥのＥ-ＵＴＲＡＮからＵＴＲＡＮへの切り替えを行う。
【００６５】
かかる移動局ＵＥのＥ-ＵＴＲＡＮからＵＴＲＡＮへの切り替えが完了した後、ＶｏＩＰメディア信号を含む全ての下り方向のパケット信号は、ノードＰ-ＧＷ→ノードＳ-ＧＷ＃１→Ｅ-ＵＴＲＡＮ→ノードＳ-ＧＷ＃１→ノードＳ-ＧＷ＃２の経路で転送され、ノードＳ-ＧＷ＃２は、拡張ＭＳＣ/ＭＧＷに対して、下り方向のＶｏＩＰメディア信号を転送し、ノードＳＧＳＮを介してＵＴＲＡＮに対して、下り方向のＶｏＩＰメディア信号以外のパケット信号を転送する。
【００６６】
ステップＳ１０２７において、ＵＴＲＡＮは、移動局ＵＥ＃１との回線接続設定処理を完了すると、回線交換機ＭＳＣに対して、「Ｒｅｌｏｃａｔｉｏｎ/ＨＯ  Ｃｏｍｐｌｅｔｅ」を送信し、回線交換機ＭＳＣは、拡張ＭＳＣ/ＭＧＷに対して、ステップＳ１０２８において、「ＨＯ  Ｃｏｍｐｌｅｔｅ」を含む「ＳＥＳ」を送信すると共に、ステップＳ１０２９において、「Ａｎｓｗｅｒ」を送信する。
【００６７】
ステップＳ１０３０において、ノードＭＭＥは、拡張ＭＳＣ/ＭＧＷに対して、「ＰＳ  ｔｏ  ＣＳ  Ｃｏｍｐｌｅｔｅ  Ａｃｋ」を送信し、ステップＳ１０３１において、拡張ＭＳＣ/ＭＧＷは、ノードＨＳＳ/ＨＬＲに対して、「Ｕｐｄａｔｅ  Ｌｏｃａｔｉｏｎ」を送信する。なお、ステップＳ１０３１は、省略されてもよい。
【００６８】
ステップＳ１０３２において、ＵＴＲＡＮは、ノードＳＧＳＮに対して、「Ｒｅｌｏｃａｔｉｏｎ/ＨＯ  Ｃｏｍｐｌｅｔｅ」を送信し、ステップＳ１０３３において、ノードＳＧＳＮは、ノードＭＭＥに対して、「Ｆｏｒｗａｒｄ  Ｒｅｌｏｃａｔｉｏｎ  Ｃｏｍｐｌｅｔｅ」を送信し、ノードＭＭＥは、ノードＳＧＳＮに対して、「Ｆｏｒｗａｒｄ  Ｒｅｌｏｃａｔｉｏｎ  Ｃｏｍｐｌｅｔｅ  Ａｃｋ」を送信する。
【００６９】
ステップＳ１０３４において、ノードＳＧＳＮは、ノードＳ-ＧＷ＃２に対して、拡張ＭＳＣ/ＭＧＷのＩＰアドレスとハンドオーバ後のＶｏＩＰメディア信号用のＴＥＩＤとを含む「Ｍｏｄｉｆｙ  Ｂｅａｒｅｒ  Ｒｅｑｕｅｓｔ（ベアラ変更要求）」を送信し、ステップＳ１０３５において、ノードＳ-ＧＷ＃２は、ノードＳＧＳＮに対して、「Ｍｏｄｉｆｙ  Ｂｅａｒｅｒ  Ｒｅｑｕｅｓｔ（ベアラ変更応答）」を送信する。
【００７０】
ノードＳ-ＧＷ＃２は、ステップＳ１０３４の信号を受信することで、ノードP-ＧＷから受信した下り方向のデータのうち、ＶｏＩＰメディア信号については、拡張ＭＳＣ/ＭＧＷへの転送を開始し、その他のパケット信号については、ノードＳＧＳＮへの転送を開始する。
【００７１】
この結果、移動局ＵＥの第１通信状態から第２通信状態への切り替えが完了し、ノードＳ-ＧＷ＃２は、ノードＰ-ＧＷから下り方向のＶｏＩＰメディア信号を受信し、拡張ＭＳＣ/ＭＧＷのＩＰアドレス及びハンドオーバ後のＶｏＩＰメディア信号用のＴＥＩＤを用いて、拡張ＭＳＣ/ＭＧＷに対して下り方向のＶｏＩＰメディア信号を送信する。また、ノードＳ-ＧＷ＃２は、ノードＰ-ＧＷから受信した下り方向のＶｏＩＰメディア信号以外のパケット信号について、ノードＳＧＳＮへ送信する。
【００７２】
その後、拡張ＭＳＣ/ＭＧＷは、ステップＳ１０２３において設定されているコーデック情報に基づいて、下り方向のＶｏＩＰメディア信号の下り方向の回線交換通信用信号への変換処理（例えば、ＡＭＲフォーマット変換処理）を行い、ＵＴＲＡＮに送信し、ＵＴＲＡＮは、移動局ＵＥ＃１に対して、かかる下り方向の回線交換通信用信号を送信する。
【００７３】
同様に、拡張ＭＳＣ/ＭＧＷは、ステップＳ１０２３において設定されているコーデック情報に基づいて、ＵＴＲＡＮを介して移動局ＵＥ＃１から受信した上り方向の回線交換用信号の上り方向のＶｏＩＰメディア信号への変換処理（例えば、ＡＭＲフォーマット変換処理）を行い、ノードＳ-ＧＷ＃２に対して送信する。
【００７４】
本実施形態に係る移動通信システムによれば、移動局ＵＥ＃１の第１通信状態から第２通信状態の切り替えの際に、ノードＳ-ＧＷ＃２が、ステップＳ１０１１において取得した拡張ＭＳＣ/ＭＧＷのＩＰアドレス及びデータ転送用のＴＥＩＤを用いて、Ｅ-ＵＴＲＡＮから転送された下り方向のＶｏＩＰメディア信号を拡張ＭＳＣ/ＭＧＷに対して転送することができるので、ハンドオーバ中のＶｏＩＰメディア信号のパケットロスをなくすことが可能となるため、音声通信が途切れることを回避することができる。
【００７５】
また、本実施形態に係る移動通信システムによれば、拡張ＭＳＣ/ＭＧＷは、ステップＳ１０２０において、ＶｏＩＰ信号で用いられているコーデック情報を取得し、コーデック変換ができない場合は、従来のＳＲＶＣＣ手順へ移行することにより、本発明が適用できない場合におけるハンドオーバ処理（切り替え処理）失敗を回避することができる。
【００７６】
以上に述べた本実施形態の特徴は、以下のように表現されていてもよい。
【００７７】
本実施形態の第１の特徴は、回線交換通信をサポートしていないＬＴＥ方式（第１通信方式）の無線アクセスシステム（Ｅ-ＵＴＲＡＮ）と、Ｅ-ＵＴＲＡＮを収容する移動伝達ネットワークと、回線交換通信をサポートしている２Ｇ/３Ｇ方式（第２通信方式）の無線アクセスシステム（ＵＴＲＡＮ）と、ＵＴＲＡＮを収容する２Ｇ/３Ｇ方式のコアネットワークと、ＩＭＳ（サービス制御ネットワーク）とを具備する移動通信システムにおいて、移動局ＵＥを、Ｅ-ＵＴＲＡＮを介して音声通信を行う第１通信状態から、ＵＴＲＡＮを介して音声通信を行う第２通信状態に切り替える移動通信方法であって、２Ｇ/３Ｇ方式のコアネットワーク内の拡張ＭＳＣ/ＭＧＷ（所定ノード）が、ノードＭＭＥ（移動伝達ネットワーク内の移動管理ノード）から、移動局ＵＥの第１通信状態から第２通信状態への切り替え指示である「ＰＳ  ｔｏ  ＣＳ  Ｒｅｑｕｅｓｔ」を受信すると、拡張ＭＳＣ/ＭＧＷのＩＰアドレス及びデータ転送用のＴＥＩＤ（第１トンネルＩＤ）を割り当てる工程Ａと、拡張ＭＳＣ/ＭＧＷが、「ＰＳ  ｔｏ  ＣＳ  Ｒｅｑｕｅｓｔ」に対する応答である「ＰＳ  ｔｏ  ＣＳ  Ｒｅｓｐｏｎｓｅ」によって、ノードＭＭＥに対して、拡張ＭＳＣ/ＭＧＷのＩＰアドレス及びデータ転送用のＴＥＩＤを通知する工程Ｂと、ノードＭＭＥが、パケット交換通信用リソースの再配置要求である「Ｆｏｒｗａｒｄ  Ｒｅｌｏｃａｔｉｏｎ  Ｒｅｑｕｅｓｔ」によって、ノードＳＧＳＮ（第２通信方式のコアネットワーク内のパケット交換機）に対して、拡張ＭＳＣ/ＭＧＷのＩＰアドレス及びデータ転送用のＴＥＩＤを通知する工程Ｃと、ノードＳＧＳＮが、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ（データ転送用トンネル設定要求）」によって、ノードＳ-ＧＷに対して、拡張ＭＳＣ/ＭＧＷのＩＰアドレス及びデータ転送用のＴＥＩＤを通知する工程Ｄと、移動管理用ノードＭＭＥが、Ｅ-ＵＴＲＡＮに対して、移動局ＵＥのＥ-ＵＴＲＡＮからＵＴＲＡＮへの切り替えを指示した後（ステップＳ１０２４の後）、ノードＳ-ＧＷが、拡張ＭＳＣ/ＭＧＷのＩＰアドレス及びデータ転送用のＴＥＩＤを用いて、拡張ＭＳＣ/ＭＧＷに対して、Ｅ-ＵＴＲＡＮから受信した下り方向のＶｏＩＰメディア信号を転送し、ノードＳＧＳＮに対して、Ｅ-ＵＴＲＡＮから受信したＶｏＩＰメディア信号以外のパケット信号をデータを転送する工程Ｅとを有することを要旨とする。
【００７８】
本実施形態の第１の特徴において、工程Ａにおいて、拡張ＭＳＣ/ＭＧＷは、更にＶｏＩＰメディア信号用のＴＥＩＤ（第２トンネルＩＤ）を割り当て、工程Ｂにおいて、拡張ＭＳＣ/ＭＧＷは、「ＰＳ  ｔｏ  ＣＳ  Ｒｅｓｐｏｎｓｅ」によって、ノードＭＭＥに対して、更にＶｏＩＰメディア信号用のＴＥＩＤを通知し、工程Ｃにおいて、ノードＭＭＥは、「Ｆｏｒｗａｒｄ  Ｒｅｌｏｃａｔｉｏｎ  Ｒｅｑｕｅｓｔ」によって、ノードＳＧＳＮに対して、更にＶｏＩＰメディア信号用のＴＥＩＤを通知し、移動局ＵＥの第１通信状態から第２通信状態への切り替えが完了した後、ノードＳ-ＧＷ（サービングゲートウェイ装置）が、拡張ＭＳＣ/ＭＧＷのＩＰアドレス及びＶｏＩＰメディア信号用のＴＥＩＤを用いて、拡張ＭＳＣ/ＭＧＷに対して、下り方向のＶｏＩＰメディア信号を送信する工程Ｆと、拡張ＭＳＣ/ＭＧＷが、下り方向のＶｏＩＰメディア信号を、下り方向の回線交換通信用信号に変換して、ノードＭＳＣ（第２通信方式のコアネットワーク内の回線交換機）に対して送信する工程Ｇとを有してもよい。
【００７９】
本実施形態の第１の特徴において、ノードＳＣＣ  ＡＳ（サービス制御ネットワーク内のＳＩＰノード）が、セッション転送開始要求である「Ｉｎｉｔｉａｔｉｏｎ  ｏｆ  Ｓｅｓｓｉｏｎ  Ｔｒａｎｓｆｅｒ」を受信した場合に、拡張ＭＳＣ/ＭＧＷに対して、「Ｉｎｉｔｉａｔｉｏｎ  ｏｆ  Ｓｅｓｓｉｏｎ  Ｔｒａｎｓｆｅｒ」に対する応答である「Ａｃｋ  ｏｆ  Ｓｅｓｓｉｏｎ  Ｔｒａｎｓｆｅｒ」によって、ＶｏＩＰメディア信号で用いられていたコーデック情報を通知する工程と更に有し、工程Ｇにおいて、拡張ＭＳＣ/ＭＧＷは、受信したコーデック情報を用いて、ＶｏＩＰメディア信号と回線交換通信用信号とを変換してもよい。
【００８０】
本実施形態の第２の特徴は、Ｅ-ＵＴＲＡＮと、Ｅ-ＵＴＲＡＮを収容する移動伝達ネットワークと、ＵＴＲＡＮと、ＵＴＲＡＮを収容する２Ｇ/３Ｇ方式のコアネットワークと、ＩＭＳとを具備する移動通信システムにおいて、２Ｇ/３Ｇ方式のコアネットワーク内に配置されている拡張ＭＳＣ/ＭＧＷであって、移動局ＵＥを、Ｅ-ＵＴＲＡＮを介して音声通信を行う第１通信状態から、ＵＴＲＡＮを介して音声通信を行う第２通信状態に切り替える場合に、ノードＭＭＥから「ＰＳ  ｔｏ  ＣＳ  Ｒｅｑｕｅｓｔ」を受信すると、拡張ＭＳＣ/ＭＧＷのＩＰアドレスとデータ転送用のＴＥＩＤとＶｏＩＰメディア信号用のＴＥＩＤとを割り当てるように構成されている割当部１３と、「ＰＳ  ｔｏ  ＣＳ  Ｒｅｓｐｏｎｓｅ」によって、ノードＭＭＥに対して、拡張ＭＳＣ/ＭＧＷのＩＰアドレスとデータ転送用のＴＥＩＤとＶｏＩＰメディア信号用のＴＥＩＤとを通知するように構成されている送信部１２と、ノードＳ-ＧＷから受信した下り方向のＶｏＩＰメディア信号を、下り方向の回線交換通信用信号に変換して、送信部１２を介して、ノードＭＳＣに対して送信するように構成されている変換部１４とを具備することを要旨とする。
【００８１】
本実施形態の第２の特徴において、ノードＳＣＣ  ＡＳから、「Ａｃｋ  ｏｆ  Ｓｅｓｓｉｏｎ  Ｔｒａｎｓｆｅｒ」によって、ＶｏＩＰメディア信号で用いられていたコーデック情報を取得するように構成されている受信部１１を更に具備し、変換部１４は、受信したコーデック情報を用いて、ＶｏＩＰメディア信号と回線交換通信用信号とを変換するように構成されていてもよい。
【００８２】
本実施形態の第３の特徴は、回線交換通信をサポートしていないＥ-ＵＴＲＡＮと、Ｅ-ＵＴＲＡＮを収容する移動伝達ネットワークと、ＵＴＲＡＮと、ＵＴＲＡＮを収容する２Ｇ/３Ｇ方式のコアネットワークと、ＩＭＳとを具備する移動通信システムにおいて、移動局ＵＥを、Ｅ-ＵＴＲＡＮを介して音声通信を行う第１通信状態から、ＵＴＲＡＮを介して音声通信を行う第２通信状態に切り替える移動通信方法であって、サービングゲートウェイ装置Ｓ-ＧＷと拡張ＭＳＣ/ＭＧＷとの間で第１トンネルを設定する工程と、サービングゲートウェイ装置Ｓ-ＧＷとパケット交換機ＳＧＳＮとの間で第２トンネルを設定する工程と、移動管理用ノードＭＭＥが、Ｅ-ＵＴＲＡＮに対して、移動局ＵＥのＥ-ＵＴＲＡＮからＵＴＲＡＮへの切り替えを指示した後、サービングゲートウェイ装置Ｓ-ＧＷが、第１トンネルを介して、拡張ＭＳＣ/ＭＧＷに対して、Ｅ-ＵＴＲＡＮから受信した下り方向のＶｏＩＰメディア信号を転送する工程と、移動管理用ノードＭＭＥが、Ｅ-ＵＴＲＡＮに対して、移動局ＵＥのＥ-ＵＴＲＡＮからＵＴＲＡＮへの切り替えを指示した後、サービングゲートウェイ装置Ｓ-ＧＷが、第２トンネルを介して、パケット交換機ＳＧＳＮに対して、Ｅ-ＵＴＲＡＮから受信した下り方向のＶｏＩＰメディア信号以外のパケット信号を転送する工程とを有することを要旨とする。
【００８３】
本実施形態の第４の特徴は、Ｅ-ＵＴＲＡＮと、Ｅ-ＵＴＲＡＮを収容する移動伝達ネットワークと、ＵＴＲＡＮと、ＵＴＲＡＮを収容する２Ｇ/３Ｇ方式のコアネットワークと、ＩＭＳとを具備する移動通信システムにおいて、移動伝達ネットワーク内に配置されているサービングゲートウェイ装置Ｓ-ＧＷであって、移動局ＵＥを、Ｅ-ＵＴＲＡＮを介して音声通信を行う第１通信状態から、ＵＴＲＡＮを介して音声通信を行う第２通信状態に切り替える場合に、拡張ＭＳＣ/ＭＧＷとの間で第１トンネルを設定するように構成されており、パケット交換機ＳＧＳＮとの間で第２トンネルを設定するように構成されている設定部と、移動局ＵＥのＥ-ＵＴＲＡＮからＵＴＲＡＮへの切り替えが完了した後、第１トンネルを介して、拡張ＭＳＣ/ＭＧＷに対して、Ｅ-ＵＴＲＡＮから受信した下り方向のＶｏＩＰメディア信号を転送するように構成されており、第２トンネルを介して、パケット交換機ＳＧＳＮに対して、Ｅ-ＵＴＲＡＮから受信した下り方向のＶｏＩＰメディア信号以外のパケット信号を転送するように構成されている転送部とを具備することを要旨とする。
【００８４】
本実施形態の第５の特徴は、回線交換通信をサポートしていないＥ-ＵＴＲＡＮと、Ｅ-ＵＴＲＡＮを収容する移動伝達ネットワークと、ＵＴＲＡＮと、ＵＴＲＡＮを収容する２Ｇ/３Ｇ方式のコアネットワークと、ＩＭＳとを具備する移動通信システムにおいて、移動局ＵＥを、Ｅ-ＵＴＲＡＮを介して音声通信を行う第１通信状態から、ＵＴＲＡＮを介して音声通信を行う第２通信状態に切り替える移動通信方法であって、サービングゲートウェイ装置Ｓ-ＧＷと拡張ＭＳＣ/ＭＧＷとの間で第３トンネルを設定する工程と、サービングゲートウェイ装置Ｓ-ＧＷとパケット交換機ＳＧＳＮとの間で第４トンネルを設定する工程と、移動局ＵＥの第１通信状態から第２通信状態への切り替えが完了した後、サービングゲートウェイ装置Ｓ-ＧＷが、第３トンネルを介して、拡張ＭＳＣ/ＭＧＷに対して、Ｐ-ＧＷから受信した下り方向のＶｏＩＰメディア信号を転送する工程と、移動局ＵＥの第１通信状態から第２通信状態への切り替えが完了した後、サービングゲートウェイ装置Ｓ-ＧＷが、第４トンネルを介して、パケット交換機ＳＧＳＮに対して、ノードＰ-ＧＷ（上位ノード）から受信した下り方向のＶｏＩＰメディア信号以外のパケット信号を転送する工程とを有することを要旨とする。
【００８５】
本実施形態の第６の特徴は、Ｅ-ＵＴＲＡＮと、Ｅ-ＵＴＲＡＮを収容する移動伝達ネットワークと、ＵＴＲＡＮと、ＵＴＲＡＮを収容する２Ｇ/３Ｇ方式のコアネットワークと、ＩＭＳとを具備する移動通信システムにおいて、移動伝達ネットワーク内に配置されているサービングゲートウェイ装置Ｓ-ＧＷであって、移動局ＵＥを、Ｅ-ＵＴＲＡＮを介して音声通信を行う第１通信状態から、ＵＴＲＡＮを介して音声通信を行う第２通信状態に切り替える場合に、拡張ＭＳＣ/ＭＧＷとの間で第３トンネルを設定するように構成されており、パケット交換機ＳＧＳＮとの間で第４トンネルを設定するように構成されている設定部と、移動局ＵＥの第１通信状態から第２通信状態への切り替えが完了した後、第３トンネルを介して、拡張ＭＳＣ/ＭＧＷに対して、ノードＰ-ＧＷから受信した下り方向のＶｏＩＰメディア信号を転送するように構成されており、第４トンネルを介して、パケット交換機ＳＧＳＮに対して、ノードＰ-ＧＷから受信した下り方向のＶｏＩＰメディア信号以外のパケット信号を転送するように構成されている転送部とを具備することを要旨とする。
【００８６】
なお、上述の拡張ＭＳＣ/ＭＧＷ、ＭＭＥ、Ｓ-ＧＷ、Ｐ-ＧＷ、Ｐ-ＣＳＣＦ、Ｓ-ＣＳＣＦ、ＳＣＣ  ＡＳ、Ｓ/Ｐ-ＣＳＣＦ、ＳＧＳＮ、ＭＳＣ、ＵＥの動作は、ハードウェアによって実施されてもよいし、プロセッサによって実行されるソフトウェアモジュールによって実施されてもよいし、両者の組み合わせによって実施されてもよい。
【００８７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、拡張ＭＳＣ/ＭＧＷ、ＭＭＥ、Ｓ-ＧＷ、Ｐ-ＧＷ、Ｐ-ＣＳＣＦ、Ｓ-ＣＳＣＦ、ＳＣＣ  ＡＳ、Ｓ/Ｐ-ＣＳＣＦ、ＳＧＳＮ、ＭＳＣ、ＵＥ内に設けられていてもよい。また、かかる記憶媒体及びプロセッサは、ディスクリートコンポーネントとして拡張ＭＳＣ/ＭＧＷ、ＭＭＥ、Ｓ-ＧＷ、Ｐ-ＧＷ、Ｐ-ＣＳＣＦ、Ｓ-ＣＳＣＦ、ＳＣＣ  ＡＳ、Ｓ/Ｐ-ＣＳＣＦ、ＳＧＳＮ、ＭＳＣ、ＵＥ内に設けられていてもよい。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９０】
１１…受信部
１２…送信部
１３…割当部
１４…変換部
【図１】
2011166452.tif 000003
【図２】
2011166452.tif 000004
【図３】
2011166452.tif 000005
【図４】
2011166452.tif 000006
【図５】
2011166452.tif 000007